(57)【特許請求の範囲】
【請求項１】
長尺板状の縦枠本体の内側面長手縁部略全長に渡って横断面が一様の突出帯を設け、この突出帯で縦枠本体内側面に近接して位置するスライド扉の縦枠本体側端部表面を覆うことで、スライド扉と縦枠本体との隙間を隠すようにした建具用枠部材において、スライド扉の縦枠本体側の横断面内角を略直角とすると共に、該横断面内角近傍でスライド扉表面と対向する突出帯立面をスライド扉表面に対し斜行するように設け、同突出帯立面を平らな面とすると共に、縦枠本体内側面と突出帯立面とで鈍角をなすようにして、略直角となる横断面内角近傍のスライド扉表面と縦枠本体の突出帯立面とを異なった傾きとしたことを特徴とする建具用枠部材。
【請求項２】
縦枠本体内側面と突出帯立面とで１３０度から１４０度の範囲の鈍角をなすようにしたことを特徴とする請求項１記載の建具用枠部材。
【発明の詳細な説明】
【０００１】
【発明の属する技術分野】
本発明は、長尺板状の縦枠本体の内側面長手縁部略全長に渡って横断面が一様の突出帯を設け、この突出帯で縦枠本体の内側面に近接して設けられるスライド扉の縦枠本体側端部表面を覆うことで、スライド扉と縦枠本体との隙間を隠すようにした建具用枠部材に関するものである。
【０００２】
【従来の技術】
従来から、図４乃至６に示すように、スライド扉（３）の周囲に建具用枠部材を配することで建具を形成していた。このような建具用枠部材においては、縦枠本体内側面（１ａ）長手縁部略全長に渡って設けられる突出帯（２）が、縦枠本体（１）に対して略直角に設けられていた。
【０００３】
これにより、施工誤差によって生じるスライド扉（３）と縦枠本体（１）との隙間を隠すことができた。又、突出帯（２）を縦枠本体（１）に対して略直角に設けたことで、スライド扉表面（３ｂ）と突出帯（２）の見付け面（２ｄ）とを略平行状に揃えて見せることができ、その結果自然な印象を使用者に与えることができた。
【０００４】
【発明が解決しようとする課題】
しかしながら、上記従来の技術においては、図４に示すようにスライド扉表面（３ｂ）と突出帯立面（２ａ）とが比較されて、スライド扉（３）の反りが必要以上に意識されてしまうという問題を抱えていた。
【０００５】
又、図５に示すように、スライド扉（３）が反りの為張り出してきた場合、突出帯（２）に衝突してしまうという問題を抱えていた。
【０００６】
本発明は、上記事由に鑑みてなしたもので、その目的とするところは、スライド扉の反りを目立たなくすることができる建具用枠部材を提供することにある。
【０００７】
【課題を解決するための手段】
上記目的を達成するために、本発明の建具用枠部材にあっては、請求項１に記載したように、長尺板状の縦枠本体の内側面長手縁部略全長に渡って横断面が一様の突出帯を設け、この突出帯で縦枠本体内側面に近接して位置するスライド扉の縦枠本体側端部表面を覆うことで、スライド扉と縦枠本体との隙間を隠すようにした建具用枠部材において、スライド扉の縦枠本体側の横断面内角を略直角とすると共に、該横断面内角近傍でスライド扉表面と対向する突出帯立面をスライド扉表面に対し斜行するように設けて、略直角となる横断面内角近傍のスライド扉表面と縦枠本体の突出帯立面とを異なった傾きとしている。
【０００８】
これにより、スライド扉の反りを目立たなくすることができる。即ち、スライド扉の反りは、スライド扉表面と対向する突出帯立面が基準面となって意識される。本発明においては、このような突出帯立面をスライド扉表面に対し斜行するように設けることで、基準面として意識されないようにしている。初めからスライド扉表面と異なった傾きを有していれば、比較されることがない。
【０００９】
又、本発明の建具用枠部材にあっては、請求項１に記載したように、突出帯立面を平らな面とすると共に、縦枠本体内側面と突出帯立面とで鈍角をなすようにしている。
【００１０】
この場合、スライド扉が反りの為張り出してきた場合に起こる、スライド扉と突出部との衝撃を緩和することができる。即ち、突出帯立面が縦枠本体内側面に対して鈍角である為に、スライド扉が衝突した際には、突出帯立面の傾きに沿ってスライド扉がずれ込む。このずれによって衝突のエネルギーが吸収される。
【００１１】
又、本発明の建具用枠部材にあっては、請求項２に記載したように、縦枠本体内側面と突出帯立面とで１３０度から１４０度の範囲の鈍角をなすようにしても良い。
【００１２】
この場合、スライド扉と縦枠本体との隙間を隠すことと、スライド扉が突出帯立面に衝突した際の衝撃を緩和することとが、バランス良く満たされる。１８０度に近い鈍角とすると該隙間を隠すことができなくなってしまう。逆に９０度に近い鈍角とするとスライド扉と突出帯立面とが衝突した際にスライド扉の横断面内角がつぶれやすくなる。
【００１３】
【発明の実施の形態】
図１乃至３は、本発明の請求項１乃至２に対応する一実施の形態の建具用枠部材を示す説明図である。
【００１４】
この実施の形態の建具用枠部材は、請求項１に記載したように、長尺板状の縦枠本体（１）の内側面長手縁部略全長に渡って横断面が一様の突出帯（２）を設け、この突出帯（２）で縦枠本体内側面（１ａ）に近接して位置するスライド扉（３）の縦枠本体（１）側端部表面を覆うことで、スライド扉（３）と縦枠本体（１）との隙間を隠すようにした建具用枠部材において、スライド扉（３）の縦枠本体（１）側の横断面内角（３ａ）を略直角とすると共に、該横断面内角（３ａ）近傍でスライド扉表面（３ｂ）と対向する突出帯立面（２ａ）をスライド扉表面（３ｂ）に対し斜行するように設けて、略直角となる横断面内角（３ａ）近傍のスライド扉表面（３ｂ）と縦枠本体（１）の突出帯立面（２ａ）とを異なった傾きとしている。
【００１５】
又、該実施の形態の建具用枠部材は、請求項１に記載したように、突出帯立面（２ａ）を平らな面とすると共に、縦枠本体内側面（１ａ）と突出帯立面（２ａ）とで鈍角をなすようにしてもいる。
【００１６】
又、該実施の形態の建具用枠部材は、請求項２に記載したように、縦枠本体内側面（１ａ）と突出帯立面（２ａ）とで１３０度から１４０度の範囲の鈍角をなすようにしてもいる。
【００１７】
図１は建具用枠部材の横断面図を示す。断面略長方形の縦枠本体（１）と、断面略台形の突出帯（２）が一体に形成されてなる。このものは、芯となる断面略Ｌ字形の長尺木質材料に化粧板を折り曲げながら貼りつけて形成される。Ｌ字の一辺側で縦枠本体（１）を形成し、他辺で突出帯（２）を形成する。
【００１８】
縦枠本体（１）の外側には袖壁の表面化粧板が挿入される溝（１ｂ）を設けている。溝（１ｂ）は突出帯（２）より一段奥側に設けられている。
【００１９】
突出帯（２）の根元部分は１６．５ミリとしている。突出帯（２）の突出寸法は縦枠本体内側面（１ａ）から６ミリとしている。又、突出帯（２）の外側角部（２ｂ）には３ミリの面取り加工を施して意匠性を向上させている。この面取りによって形成される突出帯（２）の外側角部（２ｂ）の各内角は１３５度となり、突出帯立面（２ａ）を傾けることによって生じる内側角部（２ｃ）の内角１３５度と一致するようにもしている。これにより、面取りと突出帯立面（２ａ）とが程よく調和する。
【００２０】
図２、３は、スライド扉（３）と建具用枠部材の納まりを示す。図２に示すようにスライド扉（３）が突出帯（２）側に張り出してきても、突出帯立面（２ａ）に傾きが設けられているので、スライド扉（３）の反りは目立たなくなる。又、図３で示すように、スライド扉（３）が突出帯（２）側に張り出してきた場合、スライド扉（３）は突出帯立面（２ａ）に衝突し、該突出帯立面（２ａ）の傾きに沿ってずれ込む。即ち、図示した矢印方向にずれ込む。
【００２１】
したがって、以上説明した建具用枠部材によると、スライド扉（３）の反りを目立たなくすることができる。即ち、スライド扉（３）の反りは、スライド扉表面（３ｂ）と対向する突出帯立面（２ａ）が基準面となって意識される。本発明においては、このような突出帯立面（２ａ）をスライド扉表面（３ｂ）に対し斜行するように設けることで、基準面として意識されないようにしている。初めからスライド扉表面（３ｂ）と異なった傾きを有していれば、比較されることがない。
【００２２】
又、スライド扉（３）が反りの為張り出してきた場合に起こる、スライド扉（３）と突出部（２）との衝撃を緩和することができる。即ち、突出帯立面（２ａ）が縦枠本体内側面（１ａ）に対して鈍角である為に、スライド扉（３）が衝突した際には、突出帯立面（２ａ）の傾きに沿ってスライド扉（３）がずれ込む。このずれによって衝突のエネルギーが吸収される。
【００２３】
又、スライド扉（３）と縦枠本体（１）との隙間を隠すことと、スライド扉（３）が突出帯立面（２ａ）に衝突した際の衝撃を緩和することとが、バランス良く満たされる。１８０度に近い鈍角とすると該隙間を隠すことができなくなってしまう。逆に９０度に近い鈍角とするとスライド扉（３）と突出帯立面（２ａ）とが衝突した際にスライド扉（３）の横断面内角（３ａ）がつぶれやすくなる。
【００２５】
上述の如く、請求項１記載の発明によれば、スライド扉の反りを目立たなくすることができると共に、スライド扉が反りの為張り出してきた場合に起こる、スライド扉と突出部との衝撃を緩和することができる。
【００２７】
そして、請求項２記載の発明によれば、スライド扉と縦枠本体との隙間を隠すことと、スライド扉が突出帯立面に衝突した際の衝撃を緩和することとが、バランス良く満たされる。
【図面の簡単な説明】
【図１】本発明の一実施の形態である建具用枠部材を示す横断面図である。
【図２】該建具用枠部材とスライド扉との納まりを示す縦断面図である。
【図３】該建具用枠部材とスライド扉との納まりを示す横断面図である。
【図４】本発明の従来例である建具用枠部材とスライド扉の納まりを示す縦断面図である。
【図５】本発明の従来例である建具用枠部材とスライド扉の納まりを示す横断面図である。
【図６】本発明の従来例である建具用枠部材とスライド扉の納まりを示す概略図である。
【符号の説明】
１    縦枠本体
１ａ  縦枠本体内側面
２    突出帯
２ａ  突出帯立面
３    スライド扉
３ａ  横断面内角
３ｂ  スライド扉表面
【図１】
0003551142.tif 000002
【図２】
0003551142.tif 000003
【図３】
0003551142.tif 000004
【図４】
0003551142.tif 000005
【図５】
0003551142.tif 000006
【図６】
0003551142.tif 000007